(57)【要約】  本発明に係る煤煙粒子フィルタは特に、液体および固体の燃料を用いる自動車あるいは暖房設備における使用のために規定されている。本装置は特に、煤煙粒子貯蔵室（１０）の、時間で制御される可変の再生と煤煙粒子の焼却とによって優れている。さらに本装置は、特に触媒として作用する。本装置は、入口（３）と、出口（４）と、フィルタ要素（６）とを有する、少なくとも１つのフィルタハウジング（２）を備えている。フィルタハウジング（２）内にはさらに、少なくとも１つの煤煙粒子貯蔵室（１０）がある。当該煤煙粒子貯蔵室は、特に内部に向かって湾曲し、狭くなっている進入口（１９）を備えている。さらに煤煙粒子貯蔵室（１０）の室内は、貴金属ディスク（１１）で内張りされている。当該貴金属ディスクは特に、穿孔され、湾曲され、および／あるいは波型になっている。貴金属ディスクおよび／あるいは貴金属メッシュ（１１）が、少なくとも部分的に触媒でコーティングされている。フィルタハウジング（２）においては、たとえばグロープラグおよび／あるいはグローコイルのような点火装置（１２）が設けられている。
2011502773.tif 000002
【特許請求の範囲】
【請求項１】
煤煙粒子フィルタ特に、特にガス状、液体、および／あるいは固体の燃料を用いる自動車あるいは暖房設備における使用のための煤煙粒子フィルタであって、煤煙粒子貯蔵室の、特に時間で制御可能な可変の再生と煤煙粒子の焼却とを有し、触媒作用を有し、かつ少なくとも１つのフィルタハウジング（２）と、入口（３）と、出口（４）と、フィルタ要素と、を有する煤煙粒子フィルタにおいて、
前記フィルタハウジング（２）内には、少なくとも１つの煤煙粒子貯蔵室（１０）があり、該煤煙粒子貯蔵室（１０）には、特に内部に向かって湾曲し、狭くなっている入口（１９）があり、
前記煤煙粒子貯蔵室の室内は、特に穿孔され、湾曲され、および／あるいは波型になっている貴金属ディスク（１１）および／あるいは貴金属メッシュによって内張りされており、
前記貴金属ディスクおよび／あるいは貴金属メッシュは、少なくとも部分的に触媒でコーティングされており、
かつ前記フィルタハウジング（２）において、たとえばグロープラグおよび／あるいはグローコイル（１２）のような点火装置が設けられていることを特徴とする煤煙粒子フィルタ。
【請求項２】
前記フィルタハウジング内に、セラミックから成る、穿孔されたフィルタディスク（６，７）があり、該フィルタディスク（６，７）は、少なくとも部分的に触媒でコーティングされてもいることを特徴とする請求項１に記載の煤煙粒子フィルタ。
【請求項３】
前記ハウジングの室内に、特に煤煙貯蔵室の開口部（１０）と大きさが同一である狭窄部（８）があることを特徴とする請求項１あるいは２に記載の煤煙粒子フィルタ。
【請求項４】
前記フィルタディスク（６，７，１６）の一部あるいはすべてが前記ハウジングに圧入され、特にセラミックマット（５）とともに前記ハウジングに圧入されることを特徴とする請求項１から３のいずれか一項に記載の煤煙粒子フィルタ。
【請求項５】
フィルタディスク開口部は、端面に凹部を備え、別の端面に凸部を備えており、特に凸部は、端面側の星型の切り込み、スリットおよび／あるいは小さい開口部を備えていることを特徴とする請求項１から４のいずれか一項に記載の煤煙粒子フィルタ。
【請求項６】
凹部と凸部とを含む、前記フィルタディスクの開口部が、様々な造形（１７）で加工されており、好適には常に互いに入り込んでおよび／あるいは互いに対して適合されていることを特徴とする請求項１から５のいずれか一項に記載の煤煙粒子フィルタ。
【請求項７】
前記フィルタディスクの開口部を通って鋼線が通されており、該鋼線は特に前記フィルタディスクの端部で湾曲されており、かつ反対に前記セラミックマットの間で圧入されてさらに延在していることを特徴とする請求項１から６のいずれか一項に記載の煤煙粒子フィルタ。
【請求項８】
煤煙貯蔵室の外側の壁に、特に排ガス流のガイドに用いられる開口部（２０）があることを特徴とする請求項１から７のいずれか一項に記載の煤煙粒子フィルタ。
【請求項９】
前記ハウジング内に、特に無段階で制御可能な送風機（１８）があることを特徴とする請求項１から８のいずれか一項に記載の煤煙粒子フィルタ。
【請求項１０】
酸素供給のための接続路（１３）が前記粒子貯蔵室へ通じていることを特徴とする請求項１から９のいずれか一項に記載の煤煙粒子フィルタ。
【請求項１１】
少なくとも２つのフィルタディスク（６，７）の間に、特殊鋼線リング（９）が嵌め込まれていることを特徴とする請求項１から１０のいずれか一項に記載の煤煙粒子フィルタ。
【請求項１２】
前記粒子フィルタハウジングにおいて、周辺に対して閉じられた粒子貯蔵室（２１）があり、および／あるいは中央（２２）の浄化された排ガス流が周辺に排出されることを特徴とする請求項１から１１のいずれか一項に記載の煤煙粒子フィルタ。
【請求項１３】
特に液体タンクに接続されている液体噴霧器（２３）が、前記粒子貯蔵室（２１）に前置されていることを特徴とする請求項１から１２のいずれか一項に記載の煤煙粒子フィルタ。
【請求項１４】
内側に向かって狭くなっており、網目が密集している漏斗部（１４）が、前記粒子貯蔵室（２１）に前置されて延在していることを特徴とする請求項１から１３のいずれか一項に記載の煤煙粒子フィルタ。
【請求項１５】
前記漏斗部（１４）が、少なくとも部分的に特殊鋼切削片（１５）で充填されていることを特徴とする請求項１から１４のいずれか一項に記載の煤煙粒子フィルタ。
【請求項１６】
直径が様々な大きさのかつ閉じられた貴金属ディスクが、前記フィルタディスク（６，７）の間にはめ込まれ、該フィルタディスク（６，７）は少なくとも部分的に交互に閉じられていることを特徴とする請求項１から１５のいずれか一項に記載の煤煙粒子フィルタ。
【請求項１７】
穿孔された特殊鋼ディスクに、針金（２５）、特に鋼線が、ビーズを入れるために設けられており、前記針金はかご状に設けられていることを特徴とする請求項１６に記載の煤煙粒子フィルタ。
【請求項１８】
ビーズ（２４）が凹部と凸部とを備えており、かつ凸部に部分的にスペーサ、特に節部が取り付けられていることを特徴とする請求項１７に記載の煤煙粒子フィルタ。
【請求項１９】
前記針金が、ねじ状の刻み目を備えていることを特徴とする請求項１７あるいは１８に記載の煤煙粒子フィルタ。
【請求項２０】
前記ビーズが、セラミックおよび／あるいはその他の耐火性のある材料で作られていることを特徴とする請求項１７から１９のいずれか一項に記載の煤煙粒子フィルタ。
【請求項２１】
前記ビーズと針金とが、特に様々な貴金属でコーティングされていることを特徴とする請求項１６から２０のいずれか一項に記載の煤煙粒子フィルタ。
【請求項２２】
請求項１から２１のいずれか一項に記載の煤煙粒子フィルタを駆動するための方法において、煤煙粒子が、たとえばグロープラグおよび／あるいはグローコイル（１２）によって、少なくとも時折、前記煤煙粒子フィルタの前記貴金属ディスクの箇所で焼却されることを特徴とする方法。
【発明の詳細な説明】
【技術分野】
【０００１】
本発明は、液体および／あるいは固体燃料用の暖房設備あるいは特に自動車において用いられるための内燃機関の排ガスを浄化するための装置に関する。本発明は、燃焼装置の種類と、当該燃焼装置の規定どおりの使用法と、燃料の種類と、に関係なく応用できることが指摘される。
【背景技術】
【０００２】
そのようなフィルタ装置に求められるのは、特に液体および／あるいは固体燃料を使用する内燃機関、暖房用燃焼装置、あるいはオーブンの排ガス中の煤煙粒子あるいはその他の固体を、十分な程度で捕捉することである。さらに、排ガスの有害な成分を可能な限り良好に濾過することが求められる。さらにそのようなフィルタ装置は、より長い駆動時間および使用時間の間、煤煙に関して変わらず高い吸収効果で、連続して作動しなくてはならない。さらにそのようなフィルタ装置は、十分にメンテナンスフリーで排ガスを浄化しなくてはならない。そのようなフィルタ装置によって、オーブンの性能もしくは内燃機関特にディーゼル機関の機械性能が損なわれ、もしくは低下させられる。
【０００３】
多くの粒子フィルタや酸化触媒が知られている。煤煙粒子は、当該煤煙粒子を捕集するために、排ガス流によって、たとえば金属のおよび／あるいはセラミックのフィルタ体を貫流する。続いてこれらの煤煙粒子は、電気加熱によって燃焼される。しかも、再生し酸化させるためのフィルタユニットは、様々な種類の貴金属でコーティングされる。これは、たとえば特許文献１、特許文献２およびヨーロッパ特許文献である特許文献３、特許文献４から知られている。従来の煤煙粒子フィルタの問題点は主に、その機能が持続的に保証されていないことである。しばしばフィルタ媒体は、燃焼温度が非常に高くなった場合、透過性を有する、かつ／または不安定になる。さらに、フィルタ媒体から分離する微粒子が、周辺に達するという危険がある。
【０００４】
また、煤煙粒子に点火し、焼却するために、化学物質が用いられる。これらの化学物質は、排ガス温度を上昇および／あるいは降下させるために、時折ディーゼル燃料に貯蔵される。この選択肢の場合、別の有害物質が周辺に達する可能性がある。さらにこの技術は、費用がかかり、コストが大きい。経験上、化学物質と熱による作用とを利用する場合、有害物質として再び濾過されずに周辺に達しかねない副産物が生じる。それによって、有害物質が別の有害物質と入れ替わる。
【０００５】
追加装備のために提供される、オープンタイプの粒子フィルタの一連の試みから、３０％から４０％の煤煙吸収が達成されることが、十分知られている。追加装備可能な粒子フィルタの大部分は、およそ８万走行キロの後に交換されなくてはならない。
【先行技術文献】
【特許文献】
【０００６】
【特許文献１】独国特許第１０２００５０４４４９号明細書
【特許文献２】独国特許第１９９２３７８１号明細書
【特許文献３】欧州特許第１２６２６４１号明細書
【特許文献４】欧州特許第０９９８６２７号明細書
【発明の概要】
【発明が解決しようとする課題】
【０００７】
本発明は、排ガス浄化のための改良された煤煙粒子フィルタを提供することを課題としている。これは、本発明に従えば、独立請求項の対象によって達成される。有利な実施形態とさらなる形態とは、従属請求項の対象である。
【課題を解決するための手段】
【０００８】
本発明に係る煤煙粒子フィルタは特に、液体および固体の燃料を用いる自動車あるいは暖房設備における使用のために規定されている。本装置は特に、煤煙粒子貯蔵室の、時間で制御される可変の再生と煤煙粒子の焼却とによって優れている。さらに本装置は、特に触媒として作用する。本装置は、入口と出口とフィルタ要素とを有する少なくとも１つのフィルタハウジングを備えている。フィルタハウジング内にはさらに、少なくとも１つの煤煙粒子貯蔵室がある。当該煤煙粒子貯蔵室は、特に内部に向かって湾曲し、狭くなっている進入口を備えている。さらに煤煙粒子貯蔵室の室内は、貴金属ディスクで内張りされている。当該貴金属ディスクは特に、穿孔され、湾曲され、かつ／あるいは波型になっている。貴金属ディスクと貴金属が絡み合ったものとが、少なくとも部分的に触媒でコーティングされている。フィルタハウジングにおいては、たとえばグロープラグおよび／あるいはグローコイルのような点火装置が設けられている。
【０００９】
煤煙粒子は、たとえばグロープラグおよび／あるいはグローコイルによって、特に貴金属ディスクの箇所で燃焼される。
【００１０】
有利には、本発明に係る煤煙粒子フィルタは、コールドスタートの後、まずは煤煙粒子を捕集する。後に、特にさらなるエネルギー供給なしに、捕集された煤煙粒子を圧倒的に焼却する。このようにして、基礎となる課題が解決される。
【００１１】
有利には、本発明に係る煤煙粒子フィルタは、連続洗浄を行う。さらに本装置は、フィルタディスク要素の、ディスク状の交互の構造によって、触媒作用をも有する。これには、排ガス成分でのそれぞれの割合が互いに依存しあっている、一酸化炭素、窒素酸化物、二酸化炭素、煤煙粒子といった有害物質が、可能な限り削減されるという利点がある。さらに、有害な排ガスが無害な排ガスに変換される。フィルタは、比較的小さなハウジングに、大きな取り付けの手間なく、自動車および／あるいは熱排気管に入れることができる。特に、排気量のより大きい自動車においては、複数の煤煙粒子フィルタが並行して接続されてもよい。
【００１２】
有利には、本発明に係る煤煙粒子フィルタによって、煤煙粒子の焼却のために、特に電気エネルギーの需要が最小限に抑えられる。本発明に係る煤煙粒子フィルタは十分にメンテナンスフリーで作動し、かつ十分に長い駆動時間と使用時間の間、ほとんど変わらない煤煙粒子の焼却を行う。
【００１３】
有利には、本発明に係る煤煙粒子フィルタは、技術的に単純かつモジュール型に形成されている。固体燃料の場合でも、煤煙粒子フィルタの高い耐久性がある。
【００１４】
本発明に係る煤煙粒子フィルタは、入口及び出口があるフィルタハウジングを有する。当該フィルタハウジングには、内側に、周辺に向かって耐火性のある被覆がある。当該被覆は同時に、フィルタユニットの支持部として用いられる。被覆とフィルタユニットとからなるこの構造には、熱を遮断し、かつ振動を受け止め和らげるという機能がある。さらに、通路側に対して熱の影響が軽減される。ハウジングの中身は、フィルタディスクのある耐火性のある被覆とともに、ユニットとしてハウジングに圧入される。
【００１５】
フィルタディスクは、貫通開口部を、粒子貯蔵室の方向に備えている。複数のこのような構造は、一列に前後して取り付けられてよい。穿孔されたフィルタディスクを連続して一列に並べることにより、煤煙貯蔵室の方向に、貫通開口通路が生じ、当該通路は、少なくとも１つの中空室によって遮断され得る。当該１つもしくは複数の中空室によって、排ガスと煤煙粒子のより良好な渦巻きが引き起こされる。フィルタディスクは、少なくとも部分的に、好適には煤煙貯蔵室の横断面全体に、通路が貫通している。通路の一部のみに、汚染された排ガスが流れ込む。煤煙貯蔵室の横断面の外側の縁にある通路は、浄化された排ガス流を排出するために備えられている。
【００１６】
フィルタディスクが連続して取り付けられている場合、貫通する接合部が周辺に向かって生じる。当該接合部は非常に狭く形成されているため、排ガス流のみが周辺の方向に流れることができる。煤煙粒子は、排ガス流と、煤煙貯蔵室に向けられている通路とによって、強制的に煤煙貯蔵室に蓄積される。煤煙貯蔵室において粒子は、煤煙貯蔵室にある、耐高温性の貴金属ディスクに強制的に堆積する。当該貴金属ディスクは、構造上穿孔され、湾曲され、波型が付けられ、かつ様々な精巧さで形成されている。煤煙粒子は主に、貴金属ディスクの箇所で蓄積する。
【００１７】
煤煙貯蔵室は必要に応じて、貯蔵された煤煙粒子の自己燃焼がグロー点火装置によって引き起こされ得るよう、形成されている。グロー点火装置として、電熱線および／あるいはグロープラグが備えられている。貯蔵室が煤煙でいっぱいになる時点は、車両の型と走行距離に応じておよび／あるいは逆流警報器によって検知される。その後自己燃焼が、グロープラグおよび／あるいは電熱線の点火によって、進められる。点火は、ライトのサインによってダッシュボードで分かる。
【００１８】
排ガス流の入口に、触媒作用のためにコーティングされたプレフィルタディスクがある。まず排ガス流の全容量は、触媒用にコーティングされたフィルタディスクを貫流する。当該コーティングされたフィルタディスクは、選択的にずらされて取り付けられてよく、様々な種類の貴金属でコーティングされていてよい。フィルタディスクは、煤煙粒子の酸化と排ガスの転換とを引き起こす。排ガス流が入口領域を貫流した後、排ガス流は漏斗状の湾曲部もしくは狭窄部によって狭められ、煤煙粒子の含まれる排ガス流の横断面が実質的に、煤煙粒子貯蔵室の周囲の長さと横断面とに一致する。煤煙粒子は主に煤煙貯蔵室に堆積し、そこで取り除かれる。煤煙粒子が排ガス流に逆流することを、特に渦巻状に逆流することを和らげるため、煤煙貯蔵室の入口には、周囲を取り巻く面取り面が付けられている。当該面取り面は、丸みを帯びておよび／あるいは角を付けて形作られていてよい。煤煙貯蔵室の容積は、煤煙粒子が焼却される際に、燃焼温度によって材料が損傷を受けるのを避けるよう、算定されていなくてはならない。好適には、煤煙貯蔵室にある貴金属ディスクは、煤煙粒子の酸化作用を助ける材料でコーティングされている。
【００１９】
好適には、貴金属でコーティングされたタイルおよび／あるいはプレスされた金網が交互にはめ込まれる。より大きな排ガス容量には、フィルタディスクの開口部に、実質的に水平に突き出たスリーブが取り付けられている。当該スリーブは、一方の側特にフィルタディスクの前方端面に凹部を備え、他方の側、特に向かい合っている後方の背面に凸部を備えている。それらは実質的に、特に正確に互いに適合し、必要であれば一列になって互いに差し込まれる。
【００２０】
フィルタユニットの、ほとんどの、好適にはすべての、煤煙をガイドする通路は煤煙貯蔵室に繋がっており、煤煙をガイドする通路は、特に出口の端で、煤煙貯蔵室によって遮断されている。排ガス流は、存在するスリーブを通って流れなくてはならず、そのために設けられた、周辺に向かって開いている水平の開口部を通って流れ去るまで、流れなくてはならない。排ガス流の停滞による逆流を防ぐために、フィルタディスクの凹部および／あるいは凸部は、好適には端面側に、細かい冠状のものと、星状あるいは櫛状の開口部と、スリットと、を備えている。凹部と凸部とを含むフィルタディスクは、蓄熱の理由から、好適には透過性のあるセラミックから作られる。発泡材料も製造のために用いられてよい。
【００２１】
固体燃料用の燃焼設備においては通常、フィルタに送り込むための排ガス圧力が十分ではない。好適にはフィルタの前方に、十分な流れの速度を達成する送風機がつながれる。固体燃料をオーブンおよび／あるいは加熱炉の中で適合させるために、送風機は、好適には無段階制御装置を備えられる。当該無段階制御装置は、熱性能の必要性に適合されている。
【００２２】
煤煙貯蔵室内にある貴金属ディスクを、それに応じた液体で湿らせることが、有利であると判明した。別の試みでは、煤煙粒子の乾燥した容積は、制御器によってほんの短時間噴霧した場合に、３／４削減される結果となった。それに応じて、貯蔵室の容積が増やされる。
【００２３】
たいてい、排ガス流の酸素含有量は、焼却には少なすぎる。それゆえ煤煙貯蔵空間では、空気供給弁が取り付けられており、当該空気供給弁は好適には、必要に応じて制御装置によって制御されている。
【００２４】
本発明のさらなる利点と実施形態は、添付された図からもたらされる。図に示されるのは以下である。
【図面の簡単な説明】
【００２５】
【図１】本発明に係る煤煙粒子フィルタの実施形態の断面図である。
【図２】本発明に係る煤煙粒子フィルタのさらなる実施形態の断面図である。
【図３】固体燃料用の送風機を有する、本発明に係る煤煙粒子フィルタのさらなる実施形態の断面図である。
【図４】図５に記載の煤煙粒子フィルタのベースプレートの上面図である。
【図５】自動車の排ガスシステムにおいて使用するための、本発明に係る煤煙粒子フィルタのさらなる実施形態の斜視図である。
【発明を実施するための形態】
【００２６】
図１は、煤煙粒子を濾過し、排ガスを浄化するための装置を断面図で示している。ハウジング２には、入口３と出口４とがある。当該ハウジングには、以下に記述される、排ガス浄化のための構造が入れられている。排ガス浄化設備はすべて、セラミックマット５によってより良好に熱遮断するためかつ同時に取り付けるために、ハウジングに圧入されている。さらに、フィルタディスク６は任意に互いに接合され、部分的に触媒のコーティング７が施されている。入口領域においては、フィルタディスクの全体積が、濾過及び排ガス浄化のために使用される。フィルタディスクに続いて狭窄部が取り付けられており、当該狭窄部の排出部は、煤煙貯蔵室１０の開口部に対応している。続いて煤煙粒子は、煤煙貯蔵室内にある貴金属ディスクおよび／あるいは貴金属メッシュ１１によって捕捉され、貯蔵される。時折煤煙粒子は、グロープラグあるいはグローコイル１２によって焼却される。酸素供給は、常に十分な程度存在するわけではない。それゆえ、焼却を補助するために必要な量の酸素もしくは空気が、酸素弁１３を通って供給される。
【００２７】
図２には、内側に向かって狭くなっている漏斗部１４が表されている。当該漏斗部は、その漏斗の形によって、煤煙粒子を煤煙貯蔵室に導く。ｂからａの移行部に沿った網目のサイズは、粒子がほとんど、好適には完全に、そのために設けられた煤煙貯蔵室に導かれるように、目が密集して保たれている。煤煙貯蔵室の前室内の特殊鋼切削片１５は、煤煙粒子の捕捉を助ける。特殊鋼切削片は、煤煙粒子の重大な渦巻きも軽減する。ハウジングの内部では、穿孔されたモノリスディスク１６が、互いに連なっている。当該モノリスフィルタディスクは、端面側で、少なくとも部分的に、迂回するスリーブあるいは凸部で縁取られている。当該スリーブあるいは凸部は、星型の切り込みと、スリットと、小さい開口部と、を備えている。当該スリーブあるいは凸部には、モノリスにある開口部１７からの排ガス流を浄化し、逆流することなく、特に横方向の流れとして周辺に放出するという課題がある。ハウジングの外部領域をフィルタ空間として利用することも可能であり、その際、内部領域は出口として用いられる。当該構造も、すでに記述されたようなフィルタディスクを有して構成されてよい。
【００２８】
図３はたとえば、排ガスの流れの速度を制御する送風機１８を有する、薪オーブン用の粒子フィルタを示している。
【００２９】
図５：たとえば、粒子フィルタを湾曲させることができないため、いくつかの自動車では、場所不足ゆえに、粒子フィルタを特定の箇所に取り付けることができない。一連の試みは、フィルタディスクの代わりに、セラミックおよび／あるいはその他の耐火性のある材料２４で作られた、穿孔された個々のビーズ２５が適することが実証される結果となった。当該穿孔された耐火性のあるビーズは、開口部の側に凹部を備え、向かい合う側に凸部を備えている。当該凹部と凸部とは、互いにぴったりと適合する。凸部にはところどころ、小節部１７が取り付けられており、当該節部１７は、接合部に応じて、より多くのおよび／あるいはより少ない排ガスを通過させる。当該ビーズは、ベースプレート２７から突き出た、望ましい長さの針金に通されてつながれる。針金から成るすべてのかごがビーズでいっぱいになると、エンドプレート２６が取り付けられる。当該実施形態もしくはフィルタユニットの本質的な利点は、個々の部材特にビーズの構成が可変であることであり、当該ビーズは、避けられない振動によって、持続的に煤煙粒子で封をすることはできない。さらなる利点は、針金のかごが、様々な形態で設けられ得ることである。それゆえかごは、波型に実施されてもよく、それには、ビーズを波型のかごに取り付ける際に、強制的にかごの形になるという利点が伴う。粒子を含む排ガス流を旋回させるある程度の回転運動が生じる。
【符号の説明】
【００３０】
２  フィルタハウジング
３  入口
４  出口
５  セラミックマット
６  フィルタディスク
７  フィルタディスク／触媒コーティング
８  狭窄部
９  特殊鋼線リング
１０  煤煙粒子貯蔵室
１１  貴金属のディスク／貴金属の絡み合ったもの
１２  グロープラグあるいはグローコイル／点火装置
１３  酸素弁
１４  漏斗部
１５  特殊鋼切削片
１６  モノリスフィルタディスク
１７  開口部／節部
１８  送風機
１９  進入口／入口
２０  開口部
２１  粒子貯蔵室
２２  中央
２３  液体噴霧器
２４  耐火性のある材料／ビーズ
２５  ビーズ
２６  エンドプレート
２７  ベースプレート
【図１】
2011502773.tif 000003
【図２】
2011502773.tif 000004
【図３】
2011502773.tif 000005
【図４】
2011502773.tif 000006
【図５】
2011502773.tif 000007
【国際調査報告】
2011502773.tif 000008
2011502773.tif 000009
2011502773.tif 000010
2011502773.tif 000011
2011502773.tif 000012